(57)【要約】【課題】パネル配線部による透明度低下や外部電磁ノイズの影響、配線や検出デバイス等の部品点数が膨大化、光学式の場合では部品取付け位置精度や光学調整が必要で再帰性反射部をパネル外周部に設置しなければならない課題を解決する位置検出装置を提供する。【解決手段】本発明の位置検出装置は検出領域２内に光ビーム６を投光するための楕円体形の第一反射部７の焦点位置に設置された発光手段を含み、発光手段４からの光ビーム６をこの楕円体形状の第一反射部７で反射、集光させて他方の楕円焦点位置で再帰性反射部を含む第二反射部５により、再び検出領域２内に反射させ、発光手段とおなじ焦点位置にある受光手段４において光ビーム６を検出する構成である。遮光された２つの経路の光ビーム６の交点として指示手段１の検出領域内での指示座標位置３あるいは指示範囲を検出することができる。【選択図】図６
2011165110.tif 000002
【特許請求の範囲】
【請求項１】
略楕円形状をなしその内側に光を反射する反射材を設けた第一の反射部と、
前記第一の反射部の一方の焦点に設けられ、光を投光する発光部と光を受光する受光部から構成される受発光部と、
前記第一の反射部の他方の焦点に設けられ、前記受発光部から入射した光を再帰性反射部により反射する第二の反射部とを設けたことを特徴とする位置検出装置。
【請求項２】
前記第一の反射部の内部にあって前記受発光部により投光された光が表層面上を走査する検出領域を、前記受発光部と前記第二の反射部とを含む直線と重ならない領域に設けたことを特徴とする請求項１記載の位置検出装置。
【請求項３】
平面からなる有限の検出領域と前記検出領域内に光ビームを投光するための、任意の楕円体の１つの焦点位置に設置してなる発光手段と、前記発光手段から射出された光ビームを反射、集光する、前記楕円体の内反射面から、あるいは前記楕円体の内反射面の一部からなる第一の反射部と、前記第一の反射部で反射された光ビームを反射する前記楕円体の他方の焦点に設置に設けられた第二の反射部と、前記第二の反射部からの光ビームを検出する受光手段からなる位置検出装置において、前記第二の反射部が再帰性反射部を含み、前記楕円体の前記発光手段を設置してなる焦点位置に前記受光手段を設置してなることを特徴とする位置検出装置。
【請求項４】
前記検出領域が前記発光手段あるいは前記受光手段の位置と、前記再帰性反射部を含む第二の反射部の位置とを結ぶ直線領域を含まれないことを特徴とする請求項３に記載の位置検出装置。
【請求項５】
前記発光手段からの光ビームを集光する集光手段と前記集光手段の共役位置に平面反射手段を設置され、前記平面反射手段が前記集光手段の光軸に４５度傾いて設置されてなり、更に前記光軸の周りに回動することを特徴とする請求項３に記載の位置検出装置。
【請求項６】
前記再帰性反射部が平面からなる有限の検出領域と鉛直方向に軸を持つ円柱形状の側面に設置されていることを特徴とする請求項３に記載の位置検出装置。
【発明の詳細な説明】
【技術分野】
【０００１】
本発明はプラズマディスプレイ、液晶ディスプレイ等の自発光型表示装置や、プロジェクタ等を用いてホワイトボード等に画像を表示させる投影型表示装置の表示画面上において、指やペン状の指示手段により指示された位置を検出するための位置検出装置に関するものである。
【背景技術】
【０００２】
従来の液晶ディスプレイ等の自発光表示装置に用いられる位置検出装置、いわゆるタッチパネルには抵抗膜方式、静電容量方式、超音波方式、光学式等の各種方式が開発されている。
【０００３】
このなかで、抵抗膜方式や静電容量方式ではタッチパネル部に透明の電極膜を構成し、タッチパネル部における電気的抵抗値変化や電気容量変化を検出してタッチパネル部の座標を認識するものである。また、超音波方式は表面弾性波の減衰を検知して座標を認識するものである。また、光学式は指やペン等の指示手段により光を遮光するかどうかを光センサで感知してタッチ箇所の座標位置を検出するものである。
【０００４】
これらの方式のなかで抵抗膜方式や静電容量方式ではタッチ部に構成される電極膜が透明電極膜であっても可視光波長領域に、ある程度の吸収があるため透過率が落ちてしまう。よって、ディスプレイで表示される画像の鮮明さ等に悪影響を与える問題がある。また、指やペン等の指示手段とタッチ部との接触を繰り返すことで電極膜が破損する等の問題がある。
【０００５】
更に、近年ディスプレイサイズの大型化によりタッチ部のサイズも大きくなりつつあることで、電極膜の面積が大きくなり、ディスプレイ本体や周囲の電磁ノイズの影響を受けやすくなるため、誤動作を起こすという課題がある。
【０００６】
更に、電極膜を大面積化するには低電気抵抗の確保、製造装置の大型化等の課題もある。
【０００７】
また、超音波方式では装置の軽量化が困難であることや、人の指によるタッチでは認識が難しく、専用のペンを用いてタッチする必要がある。
【０００８】
それに対して、光学式ではディスプレイ部に電極膜は不要であり、光を検出して位置検出等するため、外部からの電磁ノイズの影響を受けないメリットがある。そのため、これまで大型の位置検出装置には特に光学式が好適に用いられている。
【０００９】
これまで光学式の位置検出装置としては以下のようなものが提案されている。
【００１０】
図１２は、従来例に係る位置検出装置の平面概略図である。（特許文献１）では図１２に示すように、ガラス等の透明パネルの側部の二辺にＬＥＤ（Ｌｉｇｈｔ  Ｅｍｉｔｔｉｎｇ  Ｄｅｖｉｃｅ）等の複数の発光手段８を並べ、対向する二辺に、それぞれの発光手段８に対応する複数のＰＤ（Ｐｈｏｔｏｄｉｏｄｅ）等の受光手段９が並べられている。ＬＥＤから発せられた光ビーム６の光路が指やペン等の指示手段１により遮られると、その遮られた位置の横座標と縦座標が受光手段９で感知できるため、指示手段１の指示座標位置３を検出できる仕組みである。
【００１１】
図１３は、従来例に係る位置検出装置の平面概略図であり、（特許文献２）に開示されているものである。図１３（ａ）は、位置検出装置の構成と原理を示す図であり、図１３（ｂ）は、発光及び受光の原理を示す図である。
【００１２】
概要を説明すると、２つの受発光手段４内に設置された発光手段８からの光ビーム６をレンズ２６及びビームスプリッター１３を介してパネルの２つの側辺部と底辺部に設けられた再帰性反射部１７へ投光する。再帰性反射部１７はその性質上、光ビーム６の入射方向と同じ方向（入射方向に対し１８０°の方向）に光ビーム６を反射させることができる。
【００１３】
この反射された光ビーム６を再び受発光手段４内に設置されたビームスプリッター１３及びレンズ２６を介して受光手段９に導く構造である。指やペン等の指示手段１が検出領域２内にタッチされると、その指示手段１により光ビーム６が遮られるため、その遮られたときの光ビーム６の角度を受光手段９で感知し、指示手段１の指示座標位置３を検出する仕組みである。２つの受発光手段４により三角測量の原理を用いて指示手段１の指示座標位置を算出できる。この方法では、部品点数を少なくでき、指やペン等の指示手段１の指示座標位置３を検出することがきる。
【先行技術文献】
【特許文献】
【００１４】
【特許文献１】特開２００３−０９９２０２号公報
【特許文献２】特開平１１−３２７７７０号公報
【発明の概要】
【発明が解決しようとする課題】
【００１５】
しかしながら、図１２に示すような光学式の位置検出装置では、ディスプレイサイズが大きくなれば、それに比例して発光手段と受光手段の部品数が増え、コスト面、製造面で大きな課題がある。
【００１６】
また、発光手段や受光手段の取り付け間隔が部品の大きさに依存したものとなり、分解能を高くすることが困難であるという課題もある。
【００１７】
また、図１３に示すような光学式の位置検出装置では、受発光手段を２つ用意する必要があり、受発光手段間の位置精度等の光学調整が必要であるという課題がある。
【００１８】
また、再帰性反射部をパネルの外周部の３辺に亘って長く設置しなければならない課題がある。
【課題を解決するための手段】
【００１９】
このような課題を解決するため、本発明の位置検出装置は平面からなる有限の検出領域と前記検出領域内に光ビームを投光するための、任意の楕円体の１つの焦点位置に設置してなる発光手段と、前記発光手段から射出された光ビームを反射、集光する、前記楕円体の内反射面から、あるいは前記楕円体の内反射面の一部からなる第一の反射部と、前記第一の反射部で反射された光ビームを反射する前記楕円体の他方の焦点に設置に設けられた第二の反射部と、前記第二の反射部からの光ビームを検出する受光手段からなる位置検出装置において、前記第二の反射部が再帰性反射部を含み、前記楕円体の前記発光手段を設置してなる焦点位置に前記受光手段を設置してなることを特徴としている。
【００２０】
また、前記検出領域が前記発光手段あるいは前記受光手段の位置と、前記再帰性反射部を含む第二の反射部の位置とを結ぶ直線領域を含まれないことを特徴としている。
【００２１】
また、前記発光手段からの光ビームを集光する集光手段と前記集光手段の共役位置に平面反射手段を設置され、前記平面反射手段が前記集光手段の光軸に４５度傾いて設置されてなり、更に前記光軸の周りに回動することを特徴としている。
【００２２】
また、前記再帰性反射部が平面からなる有限の検出領域と鉛直方向に軸を持つ円柱形状の側面に設置されていることを特徴としている。
【発明の効果】
【００２３】
本発明の光学式の位置検出装置により、検出領域内に光ビームを投光するための発光手段と、投光された光ビームを受光して信号を得るための受光手段と、光ビームの入射方向と同じ方向に光ビームを反射させることができる再帰性反射部と、を楕円形状の第一の反射部の２つの焦点にあたる部分に配置させることで、ディスプレイ部の透明度が確保でき、外部ノイズ耐性を確保でき、また、より少ない部品点数つまり小型化可能な１つの受発光手段を用いて位置検出装置を構成できる。また、再帰性反射部を小さくでき、しかも光学部品を１つの受発光手段内に構成するため、指示手段の指示座標位置あるいは指示領域の大きさを精度が良く検出させることが可能となる。
【図面の簡単な説明】
【００２４】
【図１】本発明に係る位置検出装置の利用例を示す概略図
【図２】本発明に係る位置検出装置の利用例を示す概略図
【図３】本発明に係る位置検出装置の概略を示す平面図
【図４】本発明に係る位置検出装置の概略を示す平面図
【図５】本発明に係る位置検出装置の概略を示す平面図
【図６】本発明に係る位置検出装置の概略を示す平面図
【図７】本発明に係る位置検出装置の実施例１を示した図
【図８】本発明の実施例１に係る位置検出装置を構成する受発光手段の斜視概略図
【図９】本発明の実施例１に係る位置検出装置を構成する第二の反射部を示す構成図
【図１０】本発明の実施例１に係る位置検出装置の位置検出の原理を説明する説明図
【図１１】本発明に係る位置検出装置の実施例１における基本回路構成を示す概略図
【図１２】従来例に係る位置検出装置の平面概略図
【図１３】従来例に係る位置検出装置の平面概略図
【発明を実施するための形態】
【００２５】
以下、本発明の位置検出装置の例を、図面に基づいて詳細に説明する。尚、本発明は以下に説明するものに限定されるものではない。
【００２６】
図１は本発明に係る位置検出装置の利用例を示す概略図である。位置検出装置を含む出力装置として自発光型のディスプレイを例に挙げており、指示手段１として人の指先を例として示している。人が自発光型のディスプレイ上の検出領域２の任意の点を指し示すことで、その指示座標位置３を位置検出装置が信号として読み取り、信号として読取った指示座標位置３を自発光ディスプレイにより視覚的に出力させることで、ボタン操作、指示時間の検出、文字入力、文字書き速度の検出、入力画像選択、画像処理、指示検出、等の入力インターフェースとして動作させることができる。
【００２７】
但し、検出領域２は本発明に係る位置検出装置を作動させるに当たって、特に設けなければならない必須の構成要件ではなく、後述する第一の反射部７内において、指示座標位置３が検出できればよい。即ち、検出領域２を設けた場合、検出領域２外においても指示座標位置３を検出可能であり、検出領域２外において指示座標位置３を検出したとしても、本発明に係る位置検出装置の発明の範囲に含まれるものである。
【００２８】
また、検出領域２として機能し得る構成、装置として、例えば、電子黒板、インタラクティブボード、タッチパネル、プラズマディスプレイパネル等が挙げられるが、これらに限られるものではない。
【００２９】
図２は本発明に係る位置検出装置の利用例を示す概略図である。位置検出装置を含む機器として表示ボードを例に挙げており、この表示ボードと電気信号を送信できるように接続された出力装置として画像投影機器とを例として挙げている。
【００３０】
指示手段１として人の手に持たれたペン状の指示部材を例として示している。人が指示部材で表示ボード上の検出領域２内の任意の点を指し示すことで、その指示座標位置３が信号として読み取られ、信号として読取った指示座標位置３を、画像投影機器へ信号とし送信し、画像投影機器が指示座標位置３を含む検出領域２の画像を表示ボードに視覚的に出力させることで、ボタン操作、指示時間の検出、文字入力、文字書き速度の検出、入力画像選択、画像処理、指示検出、等の入力インターフェースとして動作させることができる。画像投影機器と表示ボードとは無線等で信号を受送信することもできる。
【００３１】
図３乃至図６は本発明に係る位置検出装置の概略を示す平面図である。ここで本発明の位置検出装置において指示手段１を示す指示座標位置３をどのように読取るかの概略を説明する。ここで、楕円とは、２定点からの距離の和が一定値である点の集合が描く図形をいい、前記定点を焦点という。また、前記一定値は前記焦点の間隔より大きくなければならない。
【００３２】
図３で第一の反射部７は楕円体または略楕円体の形状からなる枠（楕円形状枠）からなり、その内枠の全面若しくは一部に光を反射する機能を有する鏡等の反射材が設けられている。
【００３３】
この第一の反射部７の内側の平面内において、放射状に光ビーム６を投光するとともに任意の方向から入射する光ビームを受光検出する受発光手段４（受発光部）が含まれる。但し、ここでは光を例に挙げているが、これに限られるものではなく、音波、超音波、光波その他の搬送波を含む信号媒体であればよい。また、何らかの信号により変調されていない単なる搬送波の信号でもよく、有意なデータ、情報、信号により変調された信号でもよい。従って、受発光手段４は光ビーム６の他、上記のように定義した全ての信号を発信させるよう構成することが可能であり、受光手段９も同様に全ての信号を受信できる構成とすることが可能である。
【００３４】
この受発光手段４は楕円形状をした第一の反射部７の焦点にあたる２点のいずれか一方に設けられている。そして他方の焦点にあたる場所に、第二の反射部５が設けられている。この第二の反射部５は再帰性反射部を含み、再帰性反射部はその性質上、光ビーム６の入射方向と同じ方向（入射方向に対し１８０°の方向）に光ビーム６を反射させることができる。
【００３５】
受発光手段４と第二の反射部５は楕円形状の焦点に位置するため、楕円形状の基本性質上、受発光手段４から投光された光ビーム６は検出領域２の表層面上を走査した後、楕円形状の第一の反射部７で反射し、必ず第二の反射部５に入射することになる。そして第二の反射部５に含まれる再帰性反射部で入射方向と同じ方向に反射された光ビーム６は、同様の理由で受発光手段４へと導かれることになる。
【００３６】
ここで、図３で示すように、検出領域２内におけるある点を指示手段１として人の指で指し示された場合、このある点が即ち指示座標位置３であって、光ビーム６が遮光されることになる。この指し示された指示座標位置３を通過する光ビーム６の経路として以下の２経路が存在する。
【００３７】
一つは受発光手段４から指示手段１へと直接投光される光ビーム６の経路と、もう一つは受発光手段４から一度第一の反射部７で反射されたものが指示手段１へ投光される光ビームである。つまり、指示手段１により、これら２つの経路の光ビーム６が指示座標位置３において遮光されることになる。よって図３で示されたように２つの経路の交点として指示座標位置３を特定することができる。
【００３８】
しかし、図４に示すように、楕円形状の第一の反射部７で作られた楕円の２つの焦点を結ぶ直線上に指示手段１で指示座標位置３が指し示された場合、受発光手段４から指示座標位置３へ直接投光される経路を進む光は指示座標位置３に遮られたことを受発光手段４は検知することができるが、受発光手段４から投光されて第一の反射部７で反射された光は指示座標位置３を照射し得ないので、指示座標位置３に遮られたことを受発光手段４は検知することができないことになり、２つの経路の光ビームの交点として指示座標位置３を特定することが困難となる。つまり、２つの焦点を結ぶ直線上のどこに指示座標位置３があるのかが特定できないことになる。
【００３９】
そこで図５に図示するように、第一の反射部７の楕円内であって第一の反射部７の楕円の焦点に設けられた受発光手段４と第二の反射部５とを含む直線と重ならない領域に検出領域２を設けること、すなわち受発光手段４と第二の反射部５とを含む直線と検出領域２が重ならないようにすることで、検出領域２のどの位置であっても指示座標位置３を特定することが可能となる。尚、検出領域の形状は図５に示すような四角形の形状に限定されるものではない。
【００４０】
図６は楕円体の第一の反射部７を検出領域２内の位置検出に必要な部分として約半分の楕円体とした構成を示している。このように楕円体の第一の反射部７は必要な部分のみで構成することができ、楕円体全部は必ずしも必要ない。
【００４１】
以上のように、小型化可能なユニット化された１つの受発光手段４と小さな再帰性反射部を含む第二の反射部５を用いて位置検出装置を構成でき、更に光学部品を１つの受発光手段４内に構成するため、指示手段１の指示座標位置３あるいは指示手段１が指示した領域の大きさを位置精度が良く検出させることが可能となる。
【００４２】
以下、本発明の位置検出装置の実施例を、図面に基づいて詳細に説明する。
【実施例１】
【００４３】
図７は本発明に係る位置検出装置の実施例１を示した図であり、発光手段８及び受光手段９を含む受発光手段４の構成の一例を図示したものである。発光手段８からの光ビーム６を集光手段１２であるレンズ群及びビームスプリッター１３を介して、光ビーム６の光軸に対し４５度の角度で傾斜配置された平面反射手段１４上で光ビーム６を集光させ反射させた後、射出光ビーム１０として検出領域２へと導かれる。発光手段８からの光ビーム６を集光する集光手段１２の共役位置に平面反射手段１４が設置されている。また、この平面反射手段１４における光ビーム６の反射ポイントは楕円体の第一の反射部７のいずれか一方の焦点に相当する位置に配置されている。
【００４４】
走査手段１５は平面反射手段１４を集光手段１２であるレンズ群の光軸を中心に回動できる機能を有している。つまり、検出領域２を含む第一の反射部７の内側領域に射出光ビーム１０を回転走査しながら投光できるように、走査手段１５で平面反射手段１４を回転させながら光ビーム６を３６０°放射面状に検出領域２内へ射出させることができる。また、検出領域２から戻ってきた戻り光ビーム１１は平面反射手段１４及びビームスプリッター１３を介して受光手段９へと導かれる。尚、図７では走査駆動の装置は省略してある。
【００４５】
図８は本発明の実施例１に係る位置検出装置を構成する受発光手段の斜視概略図である。走査手段１５が回転駆動されることで、平面反射手段１４が図８内に示した光ビーム走査範囲１６内で光ビーム６を走査しながら投光あるいは検出領域２から反射された戻り光ビーム１１を受光手段９に受光させることができる。
【００４６】
図９は本発明の実施例１に係る位置検出装置を構成する第二の反射部を示す構成図である。図９（ａ）は第二の反射部５の断面図を示しており、再帰性反射部１７を円柱形状の再帰性反射部保持部１８に巻きつけて構成されている。図９（ｂ）は同第二の反射部５の斜視図である。図９（ｃ）は図９（ａ）の一部を拡大した図である。この第二の反射部５では図８の発光手段８から投光された光ビーム６が図６の第一の反射部７に反射して検出領域２を通過してきた入射光ビーム１９を再帰性反射部１７で反射させ、入射方向と同じ方向へと反射光ビーム２０として検出領域２内へと反射させる機能を有している。この円柱形状の再帰性反射部保持部１８は平面からなる有限の検出領域２と略鉛直方向に軸を持つ。
【００４７】
次に、図８〜図１１を用いて、位置検出装置の位置検出の原理を説明する。
【００４８】
図１０は本発明の実施例１に係る位置検出装置の位置検出の原理を説明する説明図である。図１０（ａ）は第一の反射部７の楕円長軸の下側に設けられた検出領域２と受発光手段４と第二の反射部５の構成を示しており、図１０（ｂ）は受発光手段４内の走査手段１５で回転走査される発光手段８から射出された光ビーム６が、平面反射手段１４によって検出領域２を走査するときの走査時間に対する受光手段９の信号の変化を示している。
【００４９】
図１０（ａ）で示している通り、指示手段１により指示座標位置３が指示されたとき、ある特定の走査時間Ｔ１とＴ２において受発光手段４から投光された２つの光ビーム６が遮光される。その他の時間領域に投光された光ビーム６は遮光されずに第二の反射部５へ到達し、再帰性反射部１７で入射方向と同じ方向へ反射される。反射された光ビーム６は受発光手段４内に設けられた受光手段９へと導かれる。
【００５０】
受光手段９は光信号を電気信号に変える機能を有しており、光ビーム６が遮光されると電気信号の変化として検出することができる。図１０（ｂ）に示す例では電気信号の減少として検出されている。
【００５１】
走査手段１５から得られる走査速度や走査時間の情報を元に、図１０（ａ）の遮光時間Ｔ１と遮光時間Ｔ２のデータを得ることができる。この遮光時間Ｔ１と遮光時間Ｔ２のデータから、遮光された２つの光ビームの交点として指示手段１で示された指示座標位置３を算出することができる。また、図１０（ｂ）の遮光時間幅ΔＴ１及びΔＴ２により指示手段１の大きさを数値データとして得ることができ、指示手段１の遮光範囲も検出することができる。
【００５２】
図１１は本発明に係る位置検出装置の実施例１における基本回路構成を示す概略図である。受発光手段４内に設けられた発光手段８を駆動させる発光手段駆動回路２１と、受発光手段４内に設けられた走査手段１５を駆動するための走査手段駆動回路２３と、受発光手段４内に設けられた受光手段９からの信号を検出する受光手段信号検出回路２２とで構成されており、受光手段９からの遮光情報と、その時の走査手段１５から得られた遮光時間Ｔ１と遮光時間Ｔ２の情報を演算処理部２４で演算をし、出力手段２５で所望のデータとして出力させることができる。
【００５３】
尚、本実施例１では遮光時間Ｔ１と遮光時間Ｔ２の情報から指示座標位置３を算出したが、遮光するときの発光手段８からの投光角度を検出すれば、同様に指示座標位置３を算出することができる。
【００５４】
次に、図８〜図１１を用いて、本実施例１に係る位置検出装置の各構成について詳しく説明する。
【００５５】
図１１において、指示手段１としては光ビーム６を遮光するものであればどのようなものでも良いが、代表的なものとしては人の手や指、ペン状の指示部材等が考えられる。
【００５６】
検出領域２には指示手段１が接触できるパネル状のものを設置することも可能であり、その場合、前記パネルの表面近くに光ビーム６を投光させることになる。前記パネルは、図１に示すような自発光型のディスプレイの外枠にひっかける等して取り付ける場合はディスプレイ画面の映像を透過させるための透明なものがよく、ガラス板やアクリル板等の透明樹脂板が好適に用いられる。
【００５７】
また、図２に示すような表示ボードに画像投影機器から画像を投影して位置検出する位置検出装置では、特にパネルの材質にはこだわらない。
【００５８】
更に、本発明の位置検出装置では、指示手段１により光ビーム６を遮光すれば位置を検出することができるので、パネル状のものがなくても構わない。
【００５９】
発光手段８としては光ビーム６を投光できるものであれば特に限定されるものではない。好適に用いられるものとしてはＬＥＤ（Ｌｉｇｈｔ  Ｅｍｉｔｔｉｎｇ  Ｄｉｏｄｅ）やレーザ等がある。波長領域は特に指定しないが、赤外領域の波長を用いると人の目には見えないため、自発光型のディスプレイに取り付ける場合等はディスプレイ画像が見えにくくなることがない。また、可視光を用いると遮光した場所が目視できるという効果がある。
【００６０】
受光手段９としては光エネルギーあるいは光信号を電気エネルギーあるいは電気信号に変換する機能を有していればよい。好適に用いられるものとしてはＰＤ（Ｐｈｏｔｏｄｉｏｄｅ）、ＣＣＤ（Ｃｈａｒｇｅ  Ｃｏｕｐｌｅｄ  Ｄｅｖｉｃｅ）センサやＣＭＯＳ（Ｃｏｍｐｌｅｍｅｎｔａｒｙ  ｍｅｔａｌ−ｏｘｉｄｅ  ｓｅｍｉｃｏｎｄｕｃｔｏｒ）センサ等がある。
【００６１】
第一の反射部７としては発光手段８からの光ビーム６を反射させる機能を有していれば良く、アルミニウム等を蒸着させたミラーやプリズム等が例として挙げられる。ミラーの形成方法の一例としてガラスや樹脂等の材料を使って、金型等を用いて一括成型し、表面にアルミニウム等を蒸着成膜させる方法がある。
【００６２】
図８に示すような走査手段８としては光ビーム６を走査できるものであればよい。例えばレーザ光源を回転走査させるモータや、ＬＥＤ光源をスリット状の回転体で遮光することもできる。また、光ビームの投光方向をスイッチで切り替えて走査することも可能である。
【００６３】
第二の反射部５に含まれる再帰性反射部１７としては、入射した光ビーム６を入射方向と同じ方向に反射させる機能を有していれば良い。例えば住友３Ｍ社（会社名）製の再帰性反射シート等が知られている。
【００６４】
第二の反射部５に含まれる再帰性反射部保持部１８としては円筒形の形状で再帰性反射部１７を保持する機能を有していれば良く、特に材質等の指定はない。
【００６５】
以上、本発明の位置検出装置で得られた指示座標位置情報を元に、指示手段１の検出領域内での速度、検出領域への指示スピード、指示時間、複数指示の時間間隔等の情報を得ることができ、図１１の出力手段２５を通じてボタン操作、文字入力、画像選択、画像移動、画像拡大縮小、画像変更、ボタン制御、音声出力、機械制御等の操作を行うことができる。図１は出力手段２５としてディスプレイ表示、図２は出力手段２５として画像投影プロジェクタを用いた例である。
【００６６】
以上の構成により本発明の位置検出装置を実施することができる。
【産業上の利用可能性】
【００６７】
本発明は、プラズマディスプレイ、液晶ディスプレイ等の自発光型表示装置や、電子黒板、プロジェクタ等を用いてホワイトボード等に画像を表示させる投影型表示装置（例えば、いわゆるインタラクティブボード、インタラクティブ電子黒板、インタラクティブ電子ボード等）の表示画面上において、指やペン状の指示手段により指示された位置を検出するための光学式の位置検出装置に関するものである。更に指やペン等により指示した指示座標位置の情報を得ることで、上記した自発光型表示装置、投影型表示装置等のさまざまな機器、事務機器、ＯＡ機器、コンピュータ関連機器の制御や操作を行うことができる。
【符号の説明】
【００６８】
１    指示手段
２    検出領域
３    指示座標位置
４    受発光手段
５    第二の反射部
６    光ビーム
７    第一の反射部
８    発光手段
９    受光手段
１０    射出光ビーム
１１    戻り光ビーム
１２    集光手段
１３    ビームスプリッター
１４    平面反射手段
１５    走査手段
１６    光ビーム走査範囲
１７    再帰性反射部
１８    再帰性反射部保持部
１９    入射光ビーム
２０    反射光ビーム
２１    発光手段駆動回路
２２    受光手段信号検出回路
２３    走査手段駆動回路
２４    演算処理部
２５    出力手段
２６    レンズ
【図１】
2011165110.tif 000003
【図２】
2011165110.tif 000004
【図３】
2011165110.tif 000005
【図４】
2011165110.tif 000006
【図５】
2011165110.tif 000007
【図６】
2011165110.tif 000008
【図７】
2011165110.tif 000009
【図８】
2011165110.tif 000010
【図９】
2011165110.tif 000011
【図１０】
2011165110.tif 000012
【図１１】
2011165110.tif 000013
【図１２】
2011165110.tif 000014
【図１３】
2011165110.tif 000015